(57)【要約】  本発明は、入射される照射光（１０６、１２８）を情報により光変調する手段（１１０、１３８、１４６、１６０）を形成する領域（１０８）と、領域の後方に配置され、光情報を獲得する照射光感知マトリクス（１１２、１１４、１５４、１５６、１５８）と、情報が入力される回路（１１６、１１８、１２２、１３６）とを含む文書に係る。【選択図】  図１
2009527381.tif 000002
【特許請求の範囲】
【請求項１】
入射される照射光（１０６、１２８）を情報により光変調する手段（１１０、１３８、１４６、１６０）を形成する領域（１０８）と、
前記領域の後方に配置され、前記光情報を獲得する照射光感知マトリクス（１１２、１１４、１５４、１５６、１５８）と、
前記情報が入力される回路（１１６、１１８、１２２、１３６）と、
を含む文書。
【請求項２】
前記文書は、有価文書又はセキュリティ文書、特に、例えば、銀行手形、クレジットカード、若しくは類似物といった支払手段、又は、旅券、身分証明書、査証、運転免許証、若しくは類似物といった身分証明書類である、請求項１に記載の文書。
【請求項３】
前記文書は、チップカードである請求項１又は２に記載の文書。
【請求項４】
光変調する手段（１１０、１３８、１４６、１６０）を形成する前記領域は、パーソナライズ化することができる請求項１乃至３のうちいずれか一項に記載の文書。
【請求項５】
前記領域内に、光変調する手段（１１０、１３８、１４６、１６０）が形成される、請求項１乃至４のうちいずれか一項に記載の文書。
【請求項６】
前記領域は、前記照射光を透過する、請求項１乃至５のうちいずれか一項に記載の文書。
【請求項７】
前記領域は、複数のレーザーイニシエータを有する、請求項１乃至６のうちいずれか一項に記載の文書。
【請求項８】
光変調する手段（１１０、１３８、１４６、１６０）は、印刷されても既に印刷されていてもよい、請求項１乃至７のうちいずれか一項に記載の文書。
【請求項９】
光変調する手段（１１０、１３８、１４６、１６０）は、ホログラムを含む、請求項１乃至８のうちいずれか一項に記載の文書。
【請求項１０】
光変調する手段（１１０、１３８、１４６、１６０）は、前記照射光の一周波数部分を反射し、且つ、手段（１１０、１３８、１４６、１６０）と前記照射光感知マトリクスとの間に配置されるフィルタ（１３０）が具備され、
前記フィルタは、前記照射光の前記一周波数部分のみを基本的に通過する、請求項１乃至９のうちいずれか一項に記載の文書。
【請求項１１】
光変調する手段（１１０、１３８、１４６、１６０）は、光マスクとして形成される、請求項１乃至１０のうちいずれか一項に記載の文書。
【請求項１２】
光変調する手段（１１０、１３８、１４６、１６０）は、前記照射光の強度変調及び／又は屈曲のために形成される、請求項１乃至１１のうちいずれか一項に記載の文書。
【請求項１３】
前記照射光感知マトリクスは、フォトダイオードマトリクス、又は、電荷結合デバイス（ＣＣＤ）マトリクスである、請求項１乃至１２のうちいずれか一項に記載の文書。
【請求項１４】
前記照射光感知マトリクスは、
第１の方向に整列される複数の第１の透明電極（１５４）と、
第２の方向に整列される複数の第２の透明電極（１５８）と、
前記複数の第１の電極と前記複数の第２の電極との間に配置される光伝導体（１５６）と、
を含み、
複数のイメージポイント（１１４）は、前記複数の第１の電極と前記複数の第２の電極との交差点により定められる、請求項１乃至１３のうちいずれか一項に記載の文書。
【請求項１５】
前記照射光感知マトリクスは、複数のイメージポイント（１１４）を有し、
前記文書は、前記複数のイメージポイントを読取ることにより光情報を獲得する手段（１１６）を含む、請求項１乃至１４のうちいずれか一項に記載の文書。
【請求項１６】
前記獲得した光情報を格納する電子記憶装置（１２２）を含む、請求項１乃至１５のうちいずれか一項に記載の文書。
【請求項１７】
前記獲得した情報を入力するプロセッサ（１１８）を含む、請求項１乃至１６のうちいずれか一項に記載の文書。
【請求項１８】
参照用情報（１２４）を格納する記憶ユニット（１２２）と、
前記獲得した光情報と前記参照用情報との一致について検証する手段（１１８）と、
を含む請求項１乃至１７のうちいずれか一項に記載の文書。
【請求項１９】
前記検証の結果に応じて前記文書の使用を解放する手段（１１８）を含む、請求項１８に記載の文書。
【請求項２０】
前記回路への直接的又は間接的なエネルギー供給のために前記照射光から電気エネルギーを生成する手段（１３２）を含む、請求項１乃至１９のうちいずれか一項に記載の文書。
【請求項２１】
光電効果を使用する前記生成手段が、電気エネルギーの生成のために形成される、請求項２０に記載の文書。
【請求項２２】
電子記憶ユニット（１２２）と、
前記記憶ユニットのアクセス保護としての暗号化手段（１１８、１２０）と、
を含む、請求項１乃至２１のうちいずれか一項に記載の文書。
【請求項２３】
前記光変調する手段は、可視又は不可視像（１３８、１４６、１６０）、特に、前記領域（１０８）上又は内の英数字情報、バーコード、又は類似物により形成される、請求項１乃至２２のうちいずれか一項に記載の文書。
【請求項２４】
前記獲得した光情報に支援されて基本アクセス制御を実施する回路が形成される、請求項１乃至２３のうちいずれか一項に記載の文書。
【請求項２５】
文書（１００）の回路（１１８、１２２）内に情報を入力する方法であって、前記文書は、光マスク（１１０、１３８、１４６、１６０）を有し、前記光マスクの後方に照射光感知マトリクス（１１２）が配置され、前記照射光感知マトリクスは、前記回路に結合される、前記方法であって、
前記光マスクに照射光（１０６、１２８、１４８）を当てるステップと、
前記情報を獲得すべく前記照射光感知マトリクスを読出す（１１６）ステップと、
を含む方法。
【請求項２６】
前記回路は、前記照射光感知マトリクスを読出すドライバコンポーネント（１１６）を有する、請求項２５に記載の方法。
【請求項２７】
前記文書の電子記憶装置（１２２）内に格納された参照用情報（１２４）が、前記獲得した情報との一致について検証される、請求項２５又は２６に記載の方法。
【請求項２８】
照射光感知マトリクス（１１２）の前に配置される光マスク（１１０）により前記照射光感知マトリクス上に投射される光情報を獲得するために前記照射光感知マトリクスを制御すべく文書（１００）の集積電子回路（１１８、１３６）により実行可能な複数の命令（１２０）を含むコンピュータプログラムプロダクト。
【請求項２９】
文書（１００）の読出し装置であって、
前記文書は、入射される照射光（１０６、１２８、１６８）を情報により光変調する手段（１１０、１３８、１４６、１６０）と、前記光変調する手段の後方に配置され、前記文書の回路（１１６、１１８、１２２、１２６、１３６）に結合される照射光感知マトリクス（１１２）とを有し、
前記読出し装置は、前記照射光を生成する照射光源（１６８）を制御する、及び／又は、当該照射光源を含む、読出し装置。
【請求項３０】
文書（１００）へのアクセスが行われる場合に、照射光源（１６８）をアクティブにするデータ処理ユニット（１６４）を含む、請求項２９に記載の読出し装置。
【請求項３１】
前記照射光源は、前記読出し装置のインターフェイス（１６６）が、前記文書の対応インターフェイス（１２６）と契約する場合にアクティブにされる、請求項２９又は３０に記載の読出し装置。
【発明の詳細な説明】
【技術分野】
【０００１】
本発明は、特に有価文書又はセキュリティ書類といった文書、文書の回路に情報を入力する方法、対応するコンピュータプログラム、及び読出し装置に係る。
【背景技術】
【０００２】
集積電子回路を有する文書は、様々な形式で現水準の技術から一般に知られている。このような文書は、例えば、旅券といった紙に基づいた形式や、特にいわゆるスマートカードといったチップカードの形式で主に存在し、接触型若しくは非接触型、又は、デュアルインターフェイスの設計を有する。
【０００３】
このような文書用の様々な無線認識システムは、現水準の技術から特に既知であり、無線周波数識別（ＲＦＩＤ）システムとも呼ばれる。従来のＲＦＩＤシステムは、一般に、少なくともトランスポンダと送受信器ユニットとを含む。トランスポンダは、ＲＦＩＤマーカ、ＲＦＩＤチップ、ＲＦＩＤタグ、ＲＦＩＤラベル、又は無線ラベルとも呼ばれる。送受信器ユニットは、読出し装置又はリーダーと呼ばれる。更に、サーバ、サービス、及び、レジシステム又は商品管理システムといった他のシステムとの統合もしばしばいわゆるミドルウェアを介して考えられている。
【０００４】
ＲＦＩＤトランスポンダ上に格納されているデータは、無線波を介して入手することができる。これは、低周波では近距離で誘導的に行われ、高周波では遠距離電磁場を介して行われる。ＲＦＩＤトランスポンダがアドレスされ読取られることが可能である距離は、設計（アクティブ／パッシブ）、使用周波数バンド、電磁場強度、及び他の環境的な影響に応じて、数センチメートルから１キロメートル以上と異なりうる。
【０００５】
ＲＦＩＤトランスポンダは、通常、マイクロチップとアンテナを含み、これらは、ハウジング内の担体上に配置されるか又は基板上にプリントされる。アクティブＲＦＩＤトランスポンダは更に、電池といったエネルギー源も含む。
【０００６】
ＲＦＩＤトランスポンダは、様々な文書、特にチップカードにおいて、例えば電子財布又は電子チケット発券の実現のために使用されるか、例えば有価及びセキュリティ書類といった紙、特に銀行手形及び身元確認文書に組み込まれることが可能である。
【０００７】
例えば、独国実用新案登録第２０１００１５８号からは、例えば、身元確認及びセキュリティカードが公知であり、このカードは、ラミネート及び／又はダイキャスト加工されたプラスチックから形成され、ＲＦＩＤ方法を実施するための集積半導体及びアンテナを含む。独国特許出願公開第１０２００４００８８４１号からは更に、例えば、トランスポンダユニットを含む旅券ブックといったブック型の有価書類が公知となっている。
【０００８】
現水準の技術では、このようなセキュリティ又は有価書類は時にチップカードとして実現される。これらには、例えば、ＲＦＩＤインターフェイスといった接触型又は非接触型インターフェイスや、チップカード端末との有線及び無線通信の両方を可能にするインターフェイスが具備される。後者の場合、デュアルインターフェイスチップカードと呼ばれる。チップカード通信プロトコル及び方法は、例えば、国際標準規格ＩＳＯ１４４４３に定義される。
【０００９】
ＲＦＩＤ機能を有する上記の文書の不都合な点は、例えば、その文書が所有者の財布の中にある場合に所有者の合意なくＲＦＩＤインターフェイスがアドレスされてしまうことが可能である点である。そのような文書からデータを無許可で読出しすることに対し保護する保護メカニズムは、「基本アクセス制御」と呼ばれる（「Machine Readable Travel Document」、Technical Report、PKI for Machine Readable Travel Documents Offering ICC Read-Only Access、第１．１版、２００４年１０月１日発行、International Civil Aviation Organization  インターネット＜http://www.icao.int/mrtd/download/documents/TR-PKI%20mrtds%20ICC%20read-only%20access%20v1_1.pdf＞参照）。
【００１０】
独国特許出願公開第１９９２１３３５号からは、例えば、クレジットカード、銀行手形、又は、光学セキュリティ特徴を照明するためのマイクロレンズを含む入場チケットといったデータ担体が公知である。データ担体から反射され曲げられた光は、２つの追加の反射マイクロレンズを有するシステムにより表示される。中間面では、この像は検出器及びフィルタによって、所望の入射分布が決められた射出分布となるよう操作されうる。
【００１１】
一方で、本発明の課題は、回路を有する改善された文書、そのような文書内に組み込まれるマイクロプロセッサによる実施のためのそのような文書の回路への情報の入力方法、対応するコンピュータプログラムプロダクト、及び読出し装置を提供することに基づく。
【００１２】
本発明では、例えば、光マスクの実装のための領域を有する文書が作成される。この領域の後方に、光情報の収集のための照射光感知マトリクスが配置される。更に、文書は、収集された光情報の入力のための回路、特に集積電子回路を有する。
【００１３】
本願において、これらの光学的な要素は、入射される照射光を光情報により変調させる光マスクとして理解するものとする。入射される照射光は、照射光強度の位置依存型変調、及び／又は、照射光の屈曲により変調される。
【００１４】
文書は、例えば、有価又はセキュリティ文書、特に、例えば、銀行手形、クレジットカード、又は類似物といった支払手段、旅券、身分証明書、査証、運転免許証、又は類似物といった身分証明書類、及び／又はチップカードでありうる。
【００１５】
文書は、例えば、旅券及び身分証明書発行局、運転免許証発行局、又は類似の機関に、分散管理的にパーソナライゼーションを行うべく空白の状態で持ち込まれうる。これらの発行局において、上述した領域内にパーソナライゼーションが施され、それにより、光マスクが形成される。一方で、パーソナライゼーションは、文書の製造時に集中管理的に行われることも可能である。
【００１６】
本発明の一実施形態では、光マスクが形成される領域は、特定周波数範囲における照射光を基本的に透過する。これは、特定周波数の照射光の相対的に高い部分が領域を透過して照射光感知マトリクスに到達することができることを意味する。上記の領域内に光マスクが形成されると、上記の領域は、光マスクによって部分的に覆われることになる。このとき、マスクは特定周波数の照射光を基本的に透過しないので、上記の領域においてマスクにより覆われた部分は、上記の領域を通り照射光感知マトリクスに到達する特定周波数の照射光は全くないか、あったとしてもほんの少量である。従って、マスクは、特定周波数範囲を透過させる領域と、例えば、黒くされて不透明である他の領域とから構成され、個々の領域は、１画素に対応することができる。
【００１７】
本発明の一実施形態では、パーソナライゼーションのための領域は、レーザーによって、例えば、レーザー照射光吸収顔料、特に、金属又は金の顔料、例えば、イリオジン（Iriodin）又はレーザーフレア（Lazerflair）顔料といったいわゆるレーザーイニシエータを含む（http://www.merck-pigments.com/servlet/PB/show/1129890/E_effekte_02_2003.pdf参照）。
【００１８】
本発明の一実施形態では、光マスクは、上記の領域上にインプリントされることが可能である。
【００１９】
本発明の一実施形態では、光マスクは、ホログラムを含みうる。
【００２０】
本発明の一実施形態では、光マスクは、上記の領域に衝突する照射光の強度変調のために形成され、光情報により照射光が変調される。或いは、又は、追加的に、マスクは、上記の領域に光情報を含む照射光が衝突することにより照射光感知マトリクス上に屈曲パターンが展開するよう回折特性を有してもよい。
【００２１】
本発明の一実施形態では、光マスクは、照射光のある周波数範囲を反射するよう基本的に作用する。この照射光の周波数範囲は、マスクに覆われていない場所においては、上記の領域を透過する。この実施形態では、フィルタが、光マスクの領域と照射光感知マトリクスとの間に配置され、このフィルタは、基本的に特定の周波数部分しか通さない。従って、上記の領域のマスクのない部分に衝突する照射光の特定周波数部分のみが照射光感知マトリクスに到達する。照射光感知マトリクスは、この特定周波数範囲に特に反応するよう形成されることが好適である。このような配置により、光情報の収集に対する信号対雑音比（ＳＮＲ）を改善することができる。
【００２２】
本発明の一実施形態では、照射光感知マトリクスは、フォトダイオードマトリクス、又は、電荷結合デバイス（ＣＣＤ）マトリクスでありうる。
【００２３】
本発明の一実施形態では、照射光感知マトリクスは、特定周波数領域を透過し、第１の方向に整列される複数の第１の電極と、第２の方向において整列される複数の第２の電極とを有する。第１の方向と第２の方向は、例えば、互いに垂直である。第１の電極と第２の電極との間には、光伝導体が配置される。複数のイメージポイントが、第１の電極と第２の電極との交差点により定められ、また、これらのイメージポイントは、好適なドライバ回路及び／又はドライバソフトウェアにより照射光感知マトリクスを制御することにより読出しされる。上記の特定周波数領域は、マスクの透明領域を透過する照射光の当該部分の範囲にある必要がある。
【００２４】
本発明の一実施形態では、文書は、照射光感知マトリクスに支援されて収集された光情報の記憶のための電子記憶ユニットを有する。
【００２５】
本発明の一実施形態では、文書は、照射光感知マトリクスに支援されて獲得された光情報を処理する論理回路、好適には、マイクロプロセッサを有する。光マトリクスが、例えば、バーコードにより形成される場合、マイクロプロセッサは、収集された光情報からバーコード情報を回収することができる。
【００２６】
本発明の一実施形態では、文書は、参照用情報を格納する電子記憶ユニットと、参照用情報と収集された光情報との一致について検証する手段とを有する。これにより、参照用情報と収集された光情報とが一致する場合にのみ文書の使用が許可されるのでセキュリティ機能を実装することができる。このセキュリティ機能によって、有価及びセキュリティ文書の改ざんに対するセキュリティを向上することができる。
【００２７】
本発明の一実施形態では、文書は、回路への直接的又は間接的なエネルギー供給のために照射光から電気エネルギーを生成する手段を有する。このために、例えば、文書内にフォトセルを組み込むことにより光電効果を利用することができる。フォトセルは、回路に電気エネルギーを直接供給する、及び／又は、再充電可能な電池に電気エネルギーを直接供給することができる。後者の場合、文書の機能は、照射光源がない場合でも使用することができるようになる。
【００２８】
本発明の一実施形態では、文書は、電気記憶ユニットのアクセス保護としての暗号化手段を有する。従って、電子記憶ユニットへの書込み又は読出しアクセスは、例えば、事前に暗号化プロトコルが完了している場合にのみ可能となる。
【００２９】
本発明の一実施形態では、光マスクは、例えば、旅券の写真、及び／又は、英数字情報、バーコード、又は類似物といった画像を表す。
【００３０】
従って、本発明は、様々な実施分野において有利に使用することができる。
ａ）本発明を用いることで、直接的に電子気的に読出し可能な光記憶ユニットを実現することができる。これにより、通常は限定される文書に組み込まれた電子記憶ユニットの記憶容量を拡大することができる。
ｂ）電子記憶ユニット内に参照用情報が、獲得された光情報との比較のために記憶される場合、この方法によりセキュリティ機能が作成され、文書の自動検証が可能となる。従って、上記の文書を使用する前に、文書は、獲得された光情報が参照用情報に対応するか否か、使用が許可される前に、文書自体によって検証される。
ｃ）本発明により、例えば、ＲＦＩＤ方法によって意図されたものではない及び／又はユーザにより認識されることなく行われる文書へのアクセスを阻止すべく基本アクセス制御を作成することができる。文書を使用するための前提条件は、例えば、文書の所有者が、例えば、所有者の財布又は札入れから文書を取り出し文書が日光にさらされることである。これにより、照射光感知マトリクスは、光マスクにより変調された情報を含む光を受光する。この光情報が収集され、文書により検証された後にのみ、文書は、例えば、文書のＲＦＩＤ機能を許可することにより使用することができる。
【００３１】
更に、同一の文書において、上記の使用可能性の組み合わせ及び下位組み合わせが可能である。使用例ｃ）における検証は、特に、使用例ｂ）におけるように行われることが可能である。
【００３２】
更なる側面において、本発明は、文書の回路内に情報を入力する方法に係る。当該方法では、文書は、光マスクを有し、光マスクの後方に照射光感知マトリクスが配置され、照射光感知マトリクスは、回路に結合される。情報の入力のために、文書は、日光といった照射光、又は、異なる周波数を有する照射光源に露出される。情報は、光マスクに衝突する照射光上に変調され、この情報は、照射光感知マトリクスに支援されて収集され、回路内に入力される。
【００３３】
更なる側面において、本発明は、例えば、有価又はセキュリティ文書内に組み込まれる集積電子回路による実行用の複数の実行可能なプログラム命令を含むコンピュータプログラムに係る。当該コンピュータプログラムは、光情報を収集すべく照射光感知マトリクスを制御し、それにより、光情報は、回路により更に処理される、及び／又は、回路により記憶されることができる。
【００３４】
更なる側面において、本発明は、本発明による文書の読出し装置に係る。当該読出し装置は、照射光源を含むか、又は、照射光源を制御する。照射光源により、文書は、照射光に露出され、それにより、例えば、文書の自動検証がトリガされる。
【図面の簡単な説明】
【００３５】
以下に本発明の実施形態を、添付図面を参照することにより詳述する。
【００３６】
【図１】本発明による文書の一実施形態を示す略ブロック図である。
【００３７】
【図２】本発明による文書の別の実施形態を示す略ブロック図である。
【００３８】
【図３】本発明による方法の一実施形態を説明するフロー図である。
【００３９】
【図４】カード及びＲＦＩＤ素子の形式の文書を有する本発明による文書の一実施形態を示す平面図である。
【００４０】
【図５】旅券の形式の文書本体における本発明による文書の一実施形態を示す平面図である。
【００４１】
【図６】接点を有するチップモジュールを有するカードの形式の文書本体における本発明による文書の一実施形態を示す平面図である。
【００４２】
【図７】デュアルインターフェイスチップモジュールを有するカードの形式の文書本体における本発明による文書の一実施形態を示す平面図である。
【００４３】
【図８】外側から接触不可であるカード本体に組み込まれる電子回路を有する本発明による文書の一実施形態を示す略断面図である。
【００４４】
【図９】接点を有するチップモジュールを有する本発明による文書の一実施形態を示す略断面図である。
【００４５】
【図１０】幾つかの光マスクを有する本発明による文書の一実施形態を示す平面図である。
【００４６】
【図１１】照射光感知マトリクスの層配置を有する本発明による文書の一実施形態を示す略断面図である。
【００４７】
【図１２】照射光感知マトリクスの一実施形態を示す斜視図である。
【００４８】
【図１３】本発明による読出し装置の一実施形態を示すブロック図である。
【００４９】
以下の図面の説明において、互いに対応する要素には同一の参照符号を付している。
【発明を実施するための最良の形態】
【００５０】
図１は、例えば、有価及びセキュリティ書類である文書１００を示す。文書１００は、主に紙又はプラスチックに基づいて形成されうる。その文書表面１０２において文書１００は窓１０４を有し、照射光１０６はこの窓を介して文書１００内の領域１０８に到達することができる。或いは、文書表面１０２全体が透明であってもよい。領域１０８において、複数のマスク領域１１０からなる光マスクが形成される。
【００５１】
複数のマスク領域１１０は、パーソナライゼーションによって領域１０８に適用される。このために、現水準の技術から既知であるあらゆるパーソナライゼーション方法を用いてもよく、例えば、レーザー又はタイポグラフィによるパーソナライゼーション方法によるパーソナライゼーション方法を用いうる。
【００５２】
領域１０８は、グラフィックパーソナライゼーション用に形成される。領域１０８は、例えば、主に透明であり、好適には透明ポリマー、特に、レーザーイニシエータを有するポリカーボネートから構成される。領域１０８にレーザーを当てることにより、マスク領域１１０が着色する。特に、パーソナライゼーション情報に応じて黒くなる。領域１０８のこの視覚的に認識可能なパーソナライゼーションは、例えば、グレイスケール値レーザープロセスにより適用することができる。更に、パーソナライゼーションは、熱転写、拡散、又はインクジェット印刷によっても可能である。個別のホログラムをパーソナライゼーション技術として用いることもできる。
【００５３】
更に、領域１０８は、パーソナライズ化することのできる双安定表示素子といった表示素子により形成されることが可能である。このために、例えば、独国特許出願公開第１０２００５０３９５２４号に開示されるような表示素子として可動表示素子を有する表示装置が検討される。この特許文献の内容全体は、本願の開示内容に含まれるものとする。
【００５４】
照射光１０６の方向において領域１０８の後方に、照射光感知マトリクス１１２が配置される。この照射光感知マトリクスは、一例として、フォトダイオードマトリクス又はＣＣＤマトリクスとして形成されることができ、イメージポイントは照射光感知マトリクス１１２の各マトリクス素子１１４によって収集することができる。
【００５５】
照射光感知マトリクス１１２は、マトリクス素子１１４を読出すべく照射光感知マトリクス１１２を制御可能なドライバ１１６に接続される。
【００５６】
文書１００は更に、プログラム命令１２０の実行のための論理回路、特に、プロセッサ１１８を含む。
【００５７】
文書１００は更に、電子記憶ユニット１２２を含む。本実施形態では、電子記憶ユニットは揮発性であっても不揮発性であってもよい。文書１００が身分証明を目的に形成される場合、電子記憶ユニット１２２は、参照用データ１２４を永続的に記憶すべく不揮発性でなくてはならない。
【００５８】
文書１００は更に、特にＲＦＩＤインターフェイス１２６である、接点を有しても有さなくてもよいインターフェイスを有する。インターフェイス１２６は、接触又は非接触で外部の読出し装置（図１３参照）との通信を可能にするいわゆるデュアルモードインターフェイスとして形成されることも可能である。
【００５９】
文書１００の電気及び電子コンポーネント、即ち、ドライバ１１６、プロセッサ１１８、記憶ユニット１２２、及びインターフェイス１２６は、１以上の集積電子回路（図４乃至９のＩＣ１３６参照）として全体的に又は部分的に形成されうる。
【００６０】
文書１００の適用において、照射光１０６が文書に当てられる。照射光１０６は、日光でも、可視領域の光を供給する室内照明といった人工照射光源、又は、例えば紫外線といった赤外範囲又は短波範囲内の可視及び／又は不可視の周波数範囲等の拡散、共線、又はレーザー光を供給する特殊照射光源の照射光でありうる。
【００６１】
照射光１０６は、表面１０２における窓１０４を介して文書１００内に入り、領域１０８内に形成されるマスクに衝突する。
【００６２】
図１に示す実施形態では、共線照射光１０６を用い、照射光１０６の個々の共線ビーム１２８は図１に矢印で示す。
【００６３】
複数のマスク領域１１０は基本的に特定周波数範囲にある照射光は通さないように形成される。更に、ビーム１２８は、その特定周波数範囲にあると想定する。従って、ビーム１２８がマスク領域１１０に衝突すると、ビーム１２８は吸収されるか反射される。ビーム１２８は、照射光感知マトリクス１１２の方向においてマスク領域１１０を全く透過しないか透過したとしても少量のビームしか透過されないことが好適である。
【００６４】
複数のビーム１２８のうちの１つが、マスク領域１１０によって覆われていない領域１０８のある位置に衝突する場合、そのビーム１２８は領域１０８を透過する。これは、領域１０８は、その特定周波数範囲に対して基本的に透過性であるからである。これにより、ビーム１２８は、図１に矢印で示すように感光マトリクス１１２の複数のマトリクス素子１１４のうちの１つに基本的に減衰することなく衝突する。
【００６５】
この方法によって、光情報を有する特定の像が照射光感知マトリクス１１２上に投射され、この像は、領域１０８のマスクを通過することにより決定される。この白黒像は、ドライバ１１６によって照射光感知マトリクス１１２から読出しされることが可能である。複数のビーム１２８のうちの１つが基本的に減衰されることなくマトリクス素子１１４に到達しない場合、これは、例えば、論理情報「０」をもたらす。また、ビーム１２８が基本的に減衰されることなくマトリクス素子１１４に到達する場合、論理情報「１」がもたらされる。照射光感知マトリクス１１２を制御することにより、ドライバ１１６は、個々の情報ビットを読出しすることができる。
【００６６】
領域１０８におけるマスクが、そのマスク領域１１０において異なるグレイ値又は色を含む場合、異なるグレイ値又は色の像を有する対応する像が照射光感知マトリクス１１２上に投射され、それにより、各マトリクス素子１１４あたりに幾つかの情報ビットを収集することができる。
【００６７】
プログラム命令１２０の実行は、例えば、外部読出し装置（図１には図示せず）を通じて要求がインターフェイス１２６を介してプロセッサ１１８に送信されると自動的に開始される。照射光１０６が次に文書１００に当てられると、ドライバ１１６は、照射光感知マトリクス１１２から収集された光情報をプロセッサ１１８に供給する。その後、参照用データ１２４が記憶ユニット１２２から読出しされ、ドライバ１１６から供給された情報との一致が検証される。
【００６８】
一致しない場合、外部読出し装置による要求は拒絶される。反対に、一致する場合、要求はプログラム命令１２０によって処理され、対応する応答が生成され、インターフェイス１２６を介して外部読出し装置に送信される。
【００６９】
参照用データ１２４の電子記憶ユニット１２２内への記憶は、領域１０８のパーソナライゼーション時に行われることが好適である。領域１０８のパーソナライゼーションの完了後、即ち、マスク領域１１０での光マスクの形成後、プロセッサ１１８が、文書１００を発行する発行局の外部読出し装置により制御され、それにより、照射光１０６が当てられることによってドライバ１１６により供給される情報が参照用データ１２４として電子記憶ユニット１２２内に記憶される。この処理を容易にすることを目的として、読出し装置又は発行局に電子記憶ユニット１２２への書込みアクセスを許可するプログラム命令１２０に支援されて暗号プロトコルを無事に完了しなければならない。
【００７０】
文書１００を操作しようとする間接的な試みは成功してはならない。例えば、領域１０８におけるマスクが別のマスクにより交換される場合、又は、既に実装されているマスクが追加のマスク領域１１０を加えることで変更される場合、ドライバ１１６により供給される情報が変化するので、参照用データ１２４と収集された光情報との間に不一致が生じ、文書１００は阻止される。
【００７１】
図２は、文書１００の別の実施形態を示す。図２の実施形態では、フィルタ１３０が、領域１０８と照射光感知マトリクス１１２との間に配置される。このフィルタは、マスク領域１１０が反射又は吸収する周波数範囲にある照射光のみを通過させるよう形成される。これにより、当該周波数範囲にあり且つ複数のマスク領域１１０のうちの１つに衝突していないビーム１２８のみが照射光感知マトリクス１１２に到達する。照射光感知マトリクスは、フィルタ１３０を通過させる当該周波数範囲における特定の感度を有することが好適である。これにより、光情報の収集に対する信号対雑音比を改善することができる。
【００７２】
ここで検討する実施形態では、文書１００は、その表面１０２にフォトセル１３２を有する。フォトセル１３２は、文書１００の電気及び電子コンポーネントに電気エネルギーを直接供給することができる。エネルギー供給は、ユーザが文書１００を、例えば、自分の札入れ又は財布から取り出した際に光がフォトセル１３２に到達することができる場合にのみ発生する。これは更に、文書がユーザの札入れ又は財布の中にある限り、また、このような状況下では文書の十分なエネルギー供給のために光がフォトセルに到達しないことによりＲＦＩＤ方法による文書１００へのワイヤレスアクセスは可能ではないので、基本アクセス制御も実現される。
【００７３】
或いは、文書１００は更に、外部読出し装置が存在しない、及び／又は、エネルギー供給のための照明条件が十分ではない場合でも文書１００の使用を可能にする再充電可能電池を含むこともできる。そのような場合、フォトセルは、電池の寿命を延ばす目的で電池を再充電することができる。
【００７４】
或いは、又は、追加的に、エネルギーは、例えば、ＲＦＩＤインターフェイスといった無線インターフェイスを介して文書１００に供給されることも可能である。
【００７５】
図３は、本発明による方法を説明するフロー図を示す。ステップ３００において、照射光が、例えば、照射光源を介する照明を使用して文書に当てられる。この照射光は、文書のマスクを透過して、文書の照射光感知マトリクスまで届く。ステップ３０２において、照射光感知マトリクスが、マスクによって入射照射光上に変調された光情報を得るべく読出しされる。
【００７６】
ステップ３０４において、照射光感知マトリクスから読出しされた情報は、例えば、マイクロプロセッサである文書の回路に入力される。その後、ステップ３０６において、マイクロプロセッサは、文書の記憶ユニットから参照用情報（図１における参照用データ１２４参照）を読み取る。
【００７７】
ステップ３０８において、読出しされた情報と参照用情報は、一致について検証される。十分に一致する場合、ステップ３１０において、例えば、文書の電子記憶ユニットからの追加データの読出しといった文書１００の機能が解放される。一致しない場合、ステップ３１２において拒絶され、これは、文書１００の１以上の機能が阻止されることを意味する。
【００７８】
マスクの別の使用可能性としては、マスクを光データ記憶ユニットとして使用することが挙げられる。この光データ記憶ユニットの読取りには、ユニットは、マスクによって情報が光学的に変調されている好適な照射光（ステップ３００参照）に露光される。この情報は、照射光感知マトリクスに支援されて受信され、文書の回路内に読込まれる（ステップ３０２参照）。マスクは、例えば、２Ｄバーコードによって実現されるか、又は、例えば、文書の所有者の氏名及び住所といった個人情報を平文で含むことが可能である。後者の場合、情報が平文で人間の眼によって認識可能であり、また、同時に、照射光感知マトリクスを介する収集により文書の回路に対して利用可能であることが特に有利である。
【００７９】
照射光感知マトリクスは、フォトダイオードマトリクスとして形成されることが可能である。照射光感知マトリクスは、具体的に、光伝導体を含むことが可能である。有機光伝導体を、光伝導体の材料として用いることができる。好適な増感剤（例えば、Ｃ６０、Ｃ６０−ＰＢＥＭ、ＴＮＦ、ＴＮＦＭ）を用いて好適な光伝導体を増感させることにより、光伝導体をそのスペクトル感度に対して配置することができ、このようにすることで、例えば、ＵＶから可視又はＮＩＲ領域にシフトすることができる。
【００８０】
電荷キャリアの発生は、いわゆる「光誘起電子移動」、又は、電荷移動錯体の形成によって行われることが可能である。このようにして、例えば、赤外線スペクトル範囲においてのみ可視である情報を読出しすることのできる純赤外線フォトダイオードマトリクスを形成することができる。同様にして、ＵＶ範囲へのシフトも可能であり、この場合、光伝導体は大抵の場合この範囲において直接的に励起されることが可能であるので増感剤は恐らく必要ではない。
【００８１】
図４は、文書本体１３４と、ドライバ１１６、プロセッサ１１８、電子記憶ユニット１２２、及び／又は、インターフェイス１２６（図１及び２参照）といった文書１００の基本的な電子コンポーネントを集積した集積電子回路（ＩＣ）１３６とを有する文書１００の一実施形態を示す。
【００８２】
ここでは、マスクは、グラフィックパーソナライゼーション情報１３８によって形成される。この情報は、特に、文書１００の所有者の写真又はバイオメトリック特徴でありうる。このグラフィックパーソナライゼーション情報は、レーザープロセス、即ち、ブラックニング、ブリーチング、又は同様のプロセスの形式か、又は、ホログラフィック形式で適用することができ、特に、ボリュームホログラムか、又は、インクジェット印刷、レーザー印刷、転写印刷、熱昇華印刷、又は他の印刷法によるタイポグラフィによって付すことができる。
【００８３】
ＩＣ１３６内に集積されるドライバは、ワード／ビット線１４２に接続され、これらは、照射光感知マトリクス１１２の個々のマトリクス素子（図１及び２のマトリクス素子１１４参照）をアドレス指定する。
【００８４】
ＩＣ１３６は、図４の実施形態では、ＲＦＩＤトランスポンダとして形成される。一例として、ＩＣ１３６は、１３．５６ＭＨｚにおける動作のために、又は、国際標準規格ＩＳＯ１４４４３Ａ／Ｂ又はＩＳＯ１５６９３若しくは他のＲＦＩＤ規格に従って形成される。文書１００のアンテナ１４０は、上述を鑑みて、幾つかの巻回、例えば、一般には５オーム未満の数オームの電気抵抗を有する３乃至７の巻回を有する。アンテナ１４０は、ポリマー型導電ペーストによってタイポグラフィにより形成されるか、又は、ワニス付けされた絶縁銅コイルにより実現されうる。更に、アンテナ１４０は、エッチング、レーザー、又はインクジェット印刷方法によっても形成可能である。
【００８５】
アンテナ１４０とアンテナのＩＣ１３６への接続の好適な製作技術は、照射光感知マトリクス１１２の製作方法と、ワード／ビット線１４２及びそれらのＩＣ１３６への配線１４４の設計によって決定される。
【００８６】
非接触型ＩＣ１３６を有する実施形態では、ワード／ビット線１４２は、タイポグラフィにより製作されることが好適である。しかし、これらはチップ・オン・ボード（ＣＯＢ）技術により形成されてもよい。ＩＣ１３６の動作及び照射光感知マトリクス１１２の読出しに必要な電気エネルギーは、この実施形態では、アンテナ１４０を介して文書１００内に電磁気的に結合される。
【００８７】
図５は、旅券形式の文書本体１３４を有する文書１００の一実施形態を示す。この実施形態においても、ＩＣ１３６は、ＲＦＩＤ方法の実施を目的として形成される。図５の文書１００の実施形態は、例えば、旅券用にＩＣＡＯ９３０３により定められる仕様に対応することができる。このために、国際標準規格ＩＳＯ１４４４３Ａ／Ｂが１３．５６ＭＨｚにおいて使用され、この場合、文書１００と外部非接触型ＲＦＩＤ読出し装置との間の読取り距離は数センチメートルで十分である。アンテナ１４０をコイルとして形成することに加えて、ダイポールアンテナを用いてもよい。しかし、このためには、通常、例えば、８００ＭＨｚ乃至９５０ＭＨｚの範囲、最大で約２．４５ＧＨｚのマイクロ波範囲といったより高いＲＦＩＤ周波数が使用される。
【００８８】
文書１００は、グラフィックパーソナライゼーション情報１３８に加えて、１以上のパーソナライゼーションフィールド１４６を有し、これらも光マスクとして機能する。この１以上のパーソナライゼーションフィールド１４６において、例えば、署名、英数字情報、バーコード、又は光コードといった異なるタイプのパーソナライゼーションデータが適用され、それぞれ、下に配置される照射光感知マトリクス１１２用のマスクとして機能する。ＩＣＡＯ線もそのようなマスクとして機能することができる。照射光感知マトリクス１１２は、グラフィックパーソナライゼーション情報１３８又はパーソナライゼーションフィールド１４６の下に配置されることが可能であり、また、文書１０の領域全体に広げられることも可能である。
【００８９】
図６は、その内部にＩＣ１３６が配置されるチップモジュール１４７を含む接点を有する文書１００の一実施形態を示す。配線１４４は、照射光感知マトリクス１１２とチップモジュール１４７との接続を概略的に示す。例示的な実施形態では、照射光感知マトリクス１１２は、可撓性で積層可能な担体上に配置されることが可能である。
【００９０】
ワード／ビット線１４２は、配線１４４によってチップモジュール１４７に導かれ、それにより、チップモジュールに導電的に接続される。チップモジュール１４７において、ここでは、別個のコンポーネントとして形成されるドライバ１１６が、ＩＣ１３６の隣に配置される。しかし、一般に、ドライバ機能はＩＣ１３６内に組み込まれてもよく、また、個々のドライバ素子が照射光感知マトリクス１１２の線及び列の領域内にＣＯＢによって配置されることも可能である。
【００９１】
この実施形態について、エネルギー供給は、外部の読出し装置からチップモジュール１４７を含む接点を介して行われることが好適である。このような外部読出し装置は、一方で、チップモジュール１４７の電気接点に対して、他方で、グラフィックパーソナライゼーション情報１３８及びパーソナライゼーションフィールド１４６により形成されるマスクの露光に作用する。
【００９２】
図７は、文書１００の一実施形態を示し、ここでは、チップモジュール１４７は、いわゆるデュアルインターフェイスモジュールとして形成される。
【００９３】
図８は、層状に配置される文書１００の一実施形態を示す。アンテナ１４０は、例えば、文書１００の内側層において３乃至７個の巻回を有して配置される。ＩＣ１３６及び／又はドライバ１１６は、特に、ＣＯＢといった様々な接触方法によって裸ＩＣとして直接的に接触されることが可能であるか、又は、接触型ＩＣを有する補助担体である薄いインターポーザを用いることができる。更に、小さなＳＭＤ（表面実装デバイス）又はＳＭＴ（表面実装技術）コンポーネントを用いることができる。配線１４４は、現水準の技術のフレキシブル回路基板又はチップカードから既知であるように加法的に又は減法的に設計されることが可能である。照射光感知マトリクス１１２は、グラフィックパーソナライゼーション情報１３８下に配置され、それにより、文書１００が、好適な光源１４８からの照射光１０６によって露光される間、パーソナライゼーション情報は、照射光１０６のマスキング、特に、フィルタリングを行い、照射光感知マトリクス１１２が、特性信号を生成する。
【００９４】
図９は、ＩＣ１３６とドライバ１１６を含むチップモジュール１４７を有する文書１００の一実施形態を示す。チップモジュール１４７は、配線１４４と接触するための接点１５２を有し、また、文書１００のキャビティ１５０内に配置される。
【００９５】
図１０は、照射光により読取り可能である異なる情報フィールドを有する文書１００の一実施形態を示す。グラフィックパーソナライゼーション情報１３８は、ここでは、旅券写真として概略的に示す。更に、文書１００は、住所フィールド、署名、又はバーコードを有する複数のパーソナライゼーションフィールド１４６を有する。また、文書１００は、可視周波数範囲において不可視である情報を有するフィールド１６０を有する。
【００９６】
それぞれ光マスクとして機能するグラフィックパーソナライゼーション情報１３８、パーソナライゼーションフィールド１４６、及びフィールド１６０の下において、それぞれ、１つの照射光感知マトリクスが配置される。或いは、照射光感知マトリクスは、領域全体に広がって形成され、それにより、全ての光マスクを対象範囲内とすることもできる。
【００９７】
図１１は、照射光感知マトリクス１１２の領域における文書１００の一実施形態を示す断面図である。照射光感知マトリクス１１２は、複数の上部電極１５４と複数の下部電極１５８を有し、その間に光伝導体が配置される。図１２にそれぞれ示すように、上部電極１５４及び下部電極１５８は、異なる方向に配置されている。これは、この実施形態では、電極は互いに垂直となるように配置されていることを意味する。上部電極１５４と下部電極１５８の交差点により、照射光感知マトリクス１１２のマトリクス素子１１４（図１及び２参照）が定められる。
【００９８】
少なくとも上部電極１５４は透明に形成される必要がある。それにより、ビーム１２８（図１及び２参照）が、対応する上部電極１５４を通り光伝導体１５６に到達してマトリクス素子１１４に到達する。ここでは、光伝導体はこのプロセスを介してその光伝導体がある場所において伝導性となり、それにより、その下に位置付けられる電極１５８との電気接続が実現される。この電気接続の確立は、ドライバ１１６によって論理信号として読出される。
【００９９】
図１３は、本発明による文書にアクセスすべく形成される読出し装置１６２を示す。読出し装置１６２は、インターフェイス１６６に結合されるデータ処理ユニット１６４を有する。インターフェイス１６６は、文書１００との通信接続を、その対応するインターフェイス１２６（図１及び２参照）を介して生成する。読出し装置１６２のインターフェイスは、接触型、非接触型、又はデュアルインターフェイスとして形成されることが可能である。特に、ＲＦＩＤインターフェイスであることが可能である。
【０１００】
読出し装置１６２は更に、照射光源１６８を有する。照射光源１６８は、永久的にアクティブであっても、又は、例えば、文書１００が読出し装置１６２内に挿入される、読出し装置の付近にある、及び、インターフェイス１６６及び１２６間で電気接点が確立されるとデータ処理ユニットによってアクティブにされてもよい。照射光源１６８は、文書１００の光マスクによって変調された光情報を有するある周波数の照射光を、その情報が例えば身元確認のために文書の照射光感知マトリクスにより収集可能であるよう放射する。照射光源１６８は、読出し装置と一体にされても、又は、読出し装置１６２により制御される別個のコンポーネントであってもよい。
【符号の説明】
【０１０１】
１００  文書
１０２  表面
１０４  窓
１０６  照射光
１０８  領域
１１０  マスク領域
１１２  照射光感知マトリクス
１１４  マトリクス素子
１１６  ドライバ
１１８  プロセッサ
１２０  プログラム命令
１２２  電子記憶装置
１２４  参照用データ
１２６  インターフェイス
１２８  ビーム
１３０  フィルタ
１３２  フォトセル
１３４  文書本体
１３６  集積電子回路（ＩＣ）
１３８  グラフィックパーソナライゼーション情報
１４０  アンテナ
１４２  ワード／ビット線
１４４  配線
１４６  パーソナライゼーションフィールド
１４８  光源
１５０  キャビティ
１５２  接点
１５４  上部電極
１５６  光伝導体
１５８  下部電極
１６０  フィールド
１６２  読出し装置
１６４  データ処理ユニット
１６６  インターフェイス
１６８  照射光源
【図１】
2009527381.tif 000003
【図２】
2009527381.tif 000004
【図３】
2009527381.tif 000005
【図４】
2009527381.tif 000006
【図５】
2009527381.tif 000007
【図６】
2009527381.tif 000008
【図７】
2009527381.tif 000009
【図８】
2009527381.tif 000010
【図９】
2009527381.tif 000011
【図１０】
2009527381.tif 000012
【図１１】
2009527381.tif 000013
【図１２】
2009527381.tif 000014
【図１３】
2009527381.tif 000015
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
入射される照射光（１０６、１２８）を情報により光変調する手段（１１０、１３８、１４６、１６０）を形成する領域（１０８）と、
前記領域の後方に配置され、光情報を獲得する照射光感知マトリクス（１１２、１１４、１５４、１５６、１５８）と、
前記照射光感知マトリクスに接続し、前記光情報を読出す回路（１１６、１１８、１２２、１３６）と、
を含む文書書類。
【請求項２】
前記文書書類は、有価文書又はセキュリティ文書、特に、例えば、銀行手形、クレジットカード、若しくは類似物といった支払手段、又は、旅券、身分証明書、査証、運転免許証、若しくは類似物といった身分証明書類である、請求項１に記載の文書書類。
【請求項３】
前記文書書類は、チップカードである請求項１又は２に記載の文書書類。
【請求項４】
光変調する手段（１１０、１３８、１４６、１６０）を形成する前記領域は、パーソナライズ化することができる請求項１乃至３のうちいずれか一項に記載の文書書類。
【請求項５】
前記領域内に、光変調する手段（１１０、１３８、１４６、１６０）が形成される、請求項１乃至４のうちいずれか一項に記載の文書書類。
【請求項６】
前記領域は、前記照射光を透過する、請求項１乃至５のうちいずれか一項に記載の文書書類。
【請求項７】
前記領域は、複数のレーザーイニシエータを有する、請求項１乃至６のうちいずれか一項に記載の文書書類。
【請求項８】
光変調する手段（１１０、１３８、１４６、１６０）は、印刷されても既に印刷されていてもよい、請求項１乃至７のうちいずれか一項に記載の文書書類。
【請求項９】
光変調する手段（１１０、１３８、１４６、１６０）は、ホログラムを含む、請求項１乃至８のうちいずれか一項に記載の文書書類。
【請求項１０】
光変調する手段（１１０、１３８、１４６、１６０）は、前記照射光の一周波数部分を反射し、且つ、手段（１１０、１３８、１４６、１６０）と前記照射光感知マトリクスとの間に配置されるフィルタ（１３０）が具備され、
前記フィルタは、前記照射光の前記一周波数部分のみを基本的に通過する、請求項１乃至９のうちいずれか一項に記載の文書書類。
【請求項１１】
前記照射光感知マトリクスは、
第１の方向に整列される複数の第１の透明電極（１５４）と、
第２の方向に整列される複数の第２の透明電極（１５８）と、
前記複数の第１の透明電極と前記複数の第２の透明電極との間に配置される光伝導体（１５６）と、
を含み、
複数のイメージポイント（１１４）は、前記複数の第１の透明電極と前記複数の第２の透明電極との交差点により定められる、請求項１乃至１０のうちいずれか一項に記載の文書書類。
【請求項１２】
前記照射光感知マトリクスは、複数のイメージポイント（１１４）を有し、
前記文書書類は、前記複数のイメージポイントを読取ることにより光情報を獲得する手段（１１６）を含む、請求項１乃至１１のうちいずれか一項に記載の文書書類。
【請求項１３】
参照用情報（１２４）を格納する記憶ユニット（１２２）と、
前記獲得した光情報と前記参照用情報との一致について検証する手段（１１８）と、
を含む請求項１乃至１２のうちいずれか一項に記載の文書書類。
【請求項１４】
文書（１００）の回路（１１８、１２２）内に情報を入力する方法であって、前記文書は、光マスク（１１０、１３８、１４６、１６０）を有し、前記光マスクの後方に照射光感知マトリクス（１１２）が配置され、前記照射光感知マトリクスは、前記回路に接続される、前記方法であって、
前記光マスクに照射光（１０６、１２８、１４８）を当てるステップと、
前記情報を獲得すべく前記照射光感知マトリクスを読出す（１１６）ステップと、
を含む方法。
【請求項１５】
照射光感知マトリクス（１１２）の前に配置される光マスク（１１０）により前記照射光感知マトリクス上に投射される光情報を獲得するために前記照射光感知マトリクスを制御すべく文書（１００）の集積電子回路（１１８、１３６）により実行可能な複数の命令（１２０）を含むコンピュータプログラムプロダクト。
【手続補正２】
【補正対象書類名】明細書
【補正対象項目名】００８８
【補正方法】変更
【補正の内容】
【００８８】
文書１００は、グラフィックパーソナライゼーション情報１３８に加えて、１以上のパーソナライゼーションフィールド１４６を有し、これらも光マスクとして機能する。この１以上のパーソナライゼーションフィールド１４６において、例えば、署名、英数字情報、バーコード、又は光コードといった異なるタイプのパーソナライゼーションデータが適用され、それぞれ、下に配置される照射光感知マトリクス１１２用のマスクとして機能する。ＩＣＡＯ線もそのようなマスクとして機能することができる。照射光感知マトリクス１１２は、グラフィックパーソナライゼーション情報１３８又はパーソナライゼーションフィールド１４６の下に配置されることが可能であり、また、文書１００の領域全体に広げられることも可能である。
【国際調査報告】
2009527381.tif 000016
2009527381.tif 000017
2009527381.tif 000018
2009527381.tif 000019
2009527381.tif 000020
2009527381.tif 000021